(57)【特許請求の範囲】
【請求項１】
商用電源からの電力を負荷へ供給可能な分電盤と、
自然エネルギーを利用して発電可能な発電装置、前記発電装置及び前記商用電源からの電力を充放電可能な第一の蓄電装置、及び前記第一の蓄電装置の充放電を制御する第一のパワーコンディショナーを含み、前記商用電源と連系して前記分電盤へ電力を供給する連系運転と、前記商用電源から独立して前記分電盤へ電力を供給する自立運転と、を行うことができる第一のユニットと、
前記負荷へと供給される電力の供給元を、前記商用電源又は前記第一のユニットに切り替える切替盤と、
前記自立運転時に前記第一のユニットから前記分電盤に供給された電力の電圧を昇圧するトランスと、
前記商用電源からの電力を充放電可能な第二の蓄電装置、及び前記第二の蓄電装置の充放電を制御する第二のパワーコンディショナーを含み、前記切替盤よりも前記負荷側に配置されて前記分電盤へ電力を供給する第二のユニットと、
前記商用電源の停電を検知可能な停電検知部と、
前記停電検知部の検知結果を取得可能であって、前記第一のユニットの前記第一のパワーコンディショナーを制御して前記第一の蓄電装置の充放電を行わせると共に、前記第二のユニットの前記第二のパワーコンディショナーを制御して前記第二の蓄電装置の充放電を行わせる制御部と、
を具備し、
前記制御部は、前記停電検知部が前記商用電源の停電を検知すると、前記第一のユニットの状態に応じて、前記第二のユニットの前記第二のパワーコンディショナーを制御する停電モードを実行する、
電力供給システム。
【請求項２】
前記停電モードが実行されると、
前記第一及び前記第二のユニットのうち、前記第二のユニットから優先して放電が行われる、
請求項１に記載の電力供給システム。
【請求項３】
前記停電モードが実行されると、
前記制御部は、
前記第一の蓄電装置が満充電であって、且つ前記第二のユニットの前記第二の蓄電装置が充電可能である場合に、
前記第一のユニットの前記発電装置で発電された電力を前記第二のユニットの前記第二の蓄電装置に充電させる、
請求項１又は請求項２に記載の電力供給システム。
【請求項４】
前記第二のユニットは、
前記商用電源と前記負荷とを結ぶ電路に複数配置され、
前記制御部は、
前記第一のユニットの前記発電装置で発電された電力を前記第二のユニットの前記第二の蓄電装置に充電させる場合に、
複数の前記第二のユニットのうち、前記第一のユニット側に配置されたユニットから優先して充電を行わせる、
請求項１から請求項３に記載の電力供給システム。
【請求項５】
前記商用電源の停電が解消された場合、
前記制御部は、前記停電モードを終了し、
前記第一のユニットは、前記連系運転を行う、
請求項１から請求項４に記載の電力供給システム。
【発明の詳細な説明】
【技術分野】
【０００１】
本発明は、蓄電装置を含む複数のユニットと蓄電装置からの電力の電圧を昇圧可能なトランスとを具備する電力供給システムの技術に関する。
【背景技術】
【０００２】
従来、蓄電装置を含む複数のユニットと蓄電装置からの電力の電圧を昇圧可能なトランスとを具備する電力供給システムの技術は公知となっている。例えば、特許文献１に記載の如くである。
【０００３】
特許文献１に記載の電力供給システム（太陽光発電システム）は、太陽光発電設備と蓄電装置とトランス（配電変圧器）とを有する複数のユニットを具備する。太陽光発電設備及び蓄電装置は、トランスを介して配電線の中途部と接続される。配電線は、電力系統と負荷とを接続する。このような電力供給システムにおいては、停電時に太陽光発電設備及び蓄電装置からの電力をトランスを介して配電線へ流通させることで、停電時に全ての負荷へ電力を供給することができる。
【先行技術文献】
【特許文献】
【０００４】
【特許文献１】特開２０１２−１０５３６号公報
【発明の概要】
【発明が解決しようとする課題】
【０００５】
しかし、停電時にトランスを介して配電線へ電力を流通させると、当該電力を下流側（負荷側）のユニットの蓄電装置が充電してしまう可能性がある。これによって、停電時に負荷へ供給される電力量が減少してしまう可能性がある。
【０００６】
本発明は、以上の如き状況を鑑みてなされたものであり、その解決しようとする課題は停電時に負荷へ供給される電力量が減少してしまう事態を回避することが可能な電力供給システムを提供するものである。
【課題を解決するための手段】
【０００７】
本発明の解決しようとする課題は以上の如くであり、次にこの課題を解決するための手段を説明する。
【０００８】
即ち、商用電源からの電力を負荷へ供給可能な分電盤と、自然エネルギーを利用して発電可能な発電装置、前記発電装置及び前記商用電源からの電力を充放電可能な第一の蓄電装置、及び前記第一の蓄電装置の充放電を制御する第一のパワーコンディショナーを含み、前記商用電源と連系して前記分電盤へ電力を供給する連系運転と、前記商用電源から独立して前記分電盤へ電力を供給する自立運転と、を行うことができる第一のユニットと、前記負荷へと供給される電力の供給元を、前記商用電源又は前記第一のユニットに切り替える切替盤と、前記自立運転時に前記第一のユニットから前記分電盤に供給された電力の電圧を昇圧するトランスと、前記商用電源からの電力を充放電可能な第二の蓄電装置、及び前記第二の蓄電装置の充放電を制御する第二のパワーコンディショナーを含み、前記切替盤よりも前記負荷側に配置されて前記分電盤へ電力を供給する第二のユニットと、前記商用電源の停電を検知可能な停電検知部と、前記停電検知部の検知結果を取得可能であって、前記第一のユニットの前記第一のパワーコンディショナーを制御して前記第一の蓄電装置の充放電を行わせると共に、前記第二のユニットの前記第二のパワーコンディショナーを制御して前記第二の蓄電装置の充放電を行わせる制御部と、を具備し、前記制御部は、前記停電検知部が前記商用電源の停電を検知すると、前記第一のユニットの状態に応じて、前記第二のユニットの前記第二のパワーコンディショナーを制御する停電モードを実行するものである。
【０００９】
前記停電モードが実行されると、前記第一及び前記第二のユニットのうち、前記第二のユニットから優先して放電が行われることとしてもよい。
このような構成により、複数のユニットから適切な順番で負荷へと電力を供給することができる。
【００１０】
前記停電モードが実行されると、前記制御部は、前記第一の蓄電装置が満充電であって、且つ前記第二のユニットの前記第二の蓄電装置が充電可能である場合に、前記第一のユニットの前記発電装置で発電された電力を前記第二のユニットの前記第二の蓄電装置に充電させることとしてもよい。
このような構成により、発電装置で発電された電力を無駄にすることなく有効に利用することができる。
【００１１】
前記第二のユニットは、前記商用電源と前記負荷とを結ぶ電路に複数配置され、前記制御部は、前記第一のユニットの前記発電装置で発電された電力を前記第二のユニットの前記第二の蓄電装置に充電させる場合に、複数の前記第二のユニットのうち、前記第一のユニット側に配置されたユニットから優先して充電を行わせることとしてもよい。
このような構成により、複数のユニットから出力が行われる場合に当該出力が阻害されるのを回避することができる。
【００１２】
前記商用電源の停電が解消された場合、前記制御部は、前記停電モードを終了し、前記第一のユニットは、前記連系運転を行うこととしてもよい。
このような構成により、通常時に適切に負荷へと電力を供給することができる。
【発明の効果】
【００１３】
本発明の効果として、以下に示すような効果を奏する。
【００１４】
停電時に負荷へ供給される電力量が減少してしまう事態を回避することができる。
【図面の簡単な説明】
【００１５】
【図１】第一実施形態に係る電力供給システムの構成を示したブロック図。
【図２】エネルギーマネジメントシステム（ＥＭＳ）と他の機器との電気的な接続の構成を示したブロック図。
【図３】停電モードが実行される場合の電力の供給態様について示したフローチャート。
【図４】同じく、第一のユニットにおいて自立運転が開始された状態を示したブロック図。
【図５】同じく、第二及び第三のユニットにおいて負荷追従運転が開始された状態を示したブロック図。
【図６】同じく、第二擬似停電モードが実行され、第二のユニットに電力が入力される状態を示したブロック図。
【図７】同じく、第二擬似停電モードが実行され、第三のユニットに電力が入力される状態を示したブロック図。
【図８】第二実施形態に係る電力供給システムの構成を示したブロック図。
【発明を実施するための形態】
【００１６】
以下では、図１及び図２を用いて、本発明の実施の第一実施形態に係る電力供給システム１について説明する。
【００１７】
図１及び図２に示す電力供給システム１は、工場に設けられ、工場の負荷へ電力を供給するものである。電力供給システム１は、分電盤１０、センサ部２０、第一のユニット３０、トランス４０、切替盤５０、第二のユニット６０、第三のユニット７０及びエネルギーマネジメントシステム８０等を具備する。
【００１８】
図１に示す分電盤１０は、電力の供給元から供給される電力を負荷に分配するものである。分電盤１０には、電力の供給元（商用電源９０や後述する第一のユニット３０等）から、負荷の消費電力に応じた電力が供給される。分電盤１０は、漏電遮断器や、配線遮断器、制御ユニット等により構成される。分電盤１０内には、負荷と接続された一般回路１１が設けられる。一般回路１１は、配電線Ｌ１を介して商用電源９０と接続される。
【００１９】
図１及び図２に示すセンサ部２０は、分電盤１０内において、配電線Ｌ１を流れる電力を検出するものである。センサ部２０は、第一のセンサ２１、第二のセンサ２２、第三のセンサ２３及び第四のセンサ２４等を具備する。
【００２０】
各センサ２１から２４は、それぞれ配置箇所の電力を検出するものである。各センサ２１から２４は、それぞれ配電線Ｌ１の中途部（分電盤１０内）に配置される。各センサ２１から２４は、分電盤１０内において、配電線Ｌ１の商用電源９０側から一般回路１１側へ向けて、第一のセンサ２１・第四のセンサ２４・第二のセンサ２２・第三のセンサ２３の順番に配置される。各センサ２１から２４は、それぞれ検出結果に関する信号を送信可能に構成される。
【００２１】
図１及び図２に示す第一のユニット３０は、負荷への電力の供給元の一つである。第一のユニット３０は、第一の太陽光発電装置３１、第一の蓄電装置３２及び第一のパワコン３３等を具備する。
【００２２】
第一の太陽光発電装置３１は、太陽光を利用して発電する装置である。第一の太陽光発電装置３１は、太陽電池パネル等を具備する。第一の太陽光発電装置３１は、前記太陽電池パネルに太陽光が当たることで発電可能に構成される。
【００２３】
第一の蓄電装置３２は、電力を充放電可能な装置である。第一の蓄電装置３２は、電力を充放電可能な蓄電池や、供給されてくる交流電力を整流して前記蓄電池に充電させる充電器等を具備する。第一の蓄電装置３２は、第一の太陽光発電装置３１や商用電源９０からの電力を充放電可能に構成される。
【００２４】
第一のパワコン３３は、電力の入出力を制御するハイブリッドパワーコンディショナーである。第一のパワコン３３は、直流電力を所定の電圧に変換するコンバーターや、直流電力を交流電力に変換するインバーター、動作を制御する制御部等を具備する。第一のパワコン３３は、異なる二つの配電線を介して第一の太陽光発電装置３１及び第一の蓄電装置３２とそれぞれ接続される。また、第一のパワコン３３は、第一のセンサ２１と電気的に接続される。これによって、第一のパワコン３３は、第一のセンサ２１から送信された信号を受信し、第一のセンサ２１の検出結果に関する情報を取得する。また、第一のパワコン３３は、第一のセンサ２１の検出結果に基づいて、出力する電力量を調整する負荷追従運転を行うことができる。また、第一のパワコン３３は、連系運転及び自立運転を行うことができる。
【００２５】
第一のパワコン３３の連系運転とは、通常時（非停電時）に商用電源９０と連系して第一の太陽光発電装置３１及び第一の蓄電装置３２を運転させるものである。こうして、第一のパワコン３３は、通常時に商用電源９０と連系した状態で、第一の太陽光発電装置３１で発電された電力や第一の蓄電装置３２から放電された電力を出力したり、第一の太陽光発電装置３１で発電された電力や商用電源９０からの電力を第一の蓄電装置３２へ入力（充電）したりすることができる。
【００２６】
第一のパワコン３３の自立運転とは、停電時に商用電源９０から独立して第一の太陽光発電装置３１及び第一の蓄電装置３２を運転させるものである。こうして、第一のパワコン３３は、非常時に商用電源９０から独立した状態で、第一の太陽光発電装置３１で発電された電力や第一の蓄電装置３２から放電された電力を出力したり、第一の太陽光発電装置３１で発電された電力を第一の蓄電装置３２へ入力（充電）したりすることができる。なお、第一のパワコン３３の自立運転において、第一の太陽光発電装置３１で発電された電力の出力と入力（充電）とは、同時に行うことができる。
【００２７】
このように構成された第一のユニット３０は、配電線Ｌ２及び配電線Ｌ３を介して分電盤１０と接続される。
【００２８】
より詳細には、第一のユニット３０において、第一のパワコン３３が、配電線Ｌ２を介して分電盤１０内の配電線Ｌ１（第四のセンサ２４と後述する切替盤５０との間）と接続される。こうして、第一のパワコン３３が、配電線Ｌ２・Ｌ１を介して商用電源９０や、分電盤１０内の一般回路１１（負荷）と接続される。なお、配電線Ｌ２は、通常時（すなわち、第一のパワコン３３の連系運転時）に使用される配電線である。
【００２９】
また、第一のユニット３０において、第一のパワコン３３が、配電線Ｌ３を介して分電盤１０内の切替盤５０と接続される。こうして、第一のパワコン３３が、配電線Ｌ３・Ｌ１を介して、分電盤１０内の一般回路１１（負荷）と接続される。なお、配電線Ｌ３は、停電時（すなわち、第一のパワコン３３の自立運転時）に使用される配電線である。
【００３０】
図１に示すトランス４０は、電力を昇圧するものである。トランス４０は、配電線Ｌ３の中途部に設けられる。これによって、自立運転時に第一のユニット３０から出力された電力を昇圧し、負荷で消費することができる。
【００３１】
図１及び図２に示す切替盤５０は、当該切替盤５０を介して一般回路１１側へと流れる電力の供給元を適宜切り替えるものである。切替盤５０は、配電線Ｌ１の中途部（分電盤１０内における配電線Ｌ１・Ｌ２の接続部と第二のセンサ２２との間）に設けられる。切替盤５０には、図示せぬリレーが設けられる。切替盤５０は、前記リレーを制御することによって、配電線Ｌ１の切替盤５０よりも下流側を、配電線Ｌ１の切替盤５０よりも上流側、又は配電線Ｌ３の何れか一方と接続することができる。
【００３２】
こうして、通常時においては、切替盤５０によって配電線Ｌ１の切替盤５０よりも上流側と下流側とが接続される。このように、配電線Ｌ１の切替盤５０よりも上流側と下流側とが接続されると、一般回路１１が配電線Ｌ１を介して商用電源９０と接続されると共に、配電線Ｌ１・Ｌ２を介して第一のユニット３０と接続される。これにより、切替盤５０を介して一般回路１１側へと流れる電力の供給元を、商用電源９０や第一のユニット３０（より詳細には、連系運転時の第一のユニット３０）に切り替えることができる。
【００３３】
また、停電時においては、切替盤５０によって配電線Ｌ１の切替盤５０よりも下流側と配電線Ｌ３とが接続される。このように、配電線Ｌ１の切替盤５０よりも下流側と配電線Ｌ３とが接続されると、一般回路１１が配電線Ｌ１・Ｌ３を介して第一のユニット３０と接続される。これにより、切替盤５０を介して一般回路１１側へと流れる電力の供給元を、第一のユニット３０（より詳細には、自立運転時の第一のユニット３０）に切り替えることができる。
【００３４】
図１及び図２に示す第二のユニット６０は、負荷への電力の供給元の一つである。第二のユニット６０は、第二の蓄電装置６２及び第二のパワコン６３等を具備する。
【００３５】
なお、第二の蓄電装置６２及び第二のパワコン６３の構成（具体的には、それぞれの自身の構成や、互いの関係に関する構成）は、第一の蓄電装置３２及び第一のパワコン３３の構成と略同様であるため、特に異なる点を中心として説明を行う。
【００３６】
第二のパワコン６３は、所定の配線線を介して第二の蓄電装置６２と接続される。また、第二のパワコン６３は、第二のセンサ２２と電気的に接続される。これによって、第二のパワコン６３は、第二のセンサ２２から送信された信号を受信し、第二のセンサ２２の検出結果に関する情報を取得する。また、第二のパワコン６３は、第二のセンサ２２の検出結果に基づいて、出力する電力量を調整する負荷追従運転を行うことができる。また、第二のパワコン６３は、連系運転及び自立運転を行うことができる。なお、第二のパワコン６３において連系運転が行われる場合には、後述する擬似連系モードと通常連系モードとの何れか一方のモードが選択される。
【００３７】
こうして、第二のパワコン６３は、通常時に商用電源９０と連系した状態で、配電線Ｌ４を介して第二の蓄電装置６２から放電された電力を出力したり、商用電源９０や第一のユニット３０からの電力を第二の蓄電装置６２へ入力（充電）したりすることができる。
【００３８】
また、第二のパワコン６３は、非常時に商用電源９０から独立した状態で、自立運転時に使用される図示せぬ配電線を介して第二の蓄電装置６２から放電された電力を出力することができる。
【００３９】
また、第二のパワコン６３は、非常時に商用電源９０から独立した状態であって、且つ後述する第一の擬似連系モードが実行された状態で、配電線Ｌ４を介して第二の蓄電装置６２から放電された電力を出力することができる。
【００４０】
また、第二のパワコン６３は、非常時に商用電源９０から独立した状態であって、且つ後述する第二の擬似連系モードが実行された状態で、配電線Ｌ４を介して第二の蓄電装置６２から放電された電力を出力したり、第一のユニット３０からの電力を第二の蓄電装置６２へ入力（充電）したりすることができる。
【００４１】
このように構成された第二のユニット６０は、上述の如く配電線Ｌ４を介して分電盤１０と接続される。
【００４２】
より詳細には、第二のユニット６０において、第二のパワコン６３が、配電線Ｌ４を介して分電盤１０内の配電線Ｌ１（第二のセンサ２２と第三のセンサ２３との間）と接続される。こうして、第二のパワコン６３が、配電線Ｌ４・Ｌ１を介して商用電源９０や、分電盤１０内の一般回路１１（負荷）と接続される。また、第二のパワコン６３が、配電線Ｌ４・Ｌ１・Ｌ２（又は、配電線Ｌ４・Ｌ１・Ｌ３）を介して第一のユニット３０（より詳細には、第一のパワコン３３）と接続される。なお、配電線Ｌ４は、通常時（すなわち、第二のパワコン６３の連系運転時）に使用される配電線である。
【００４３】
図１及び図２に示す第三のユニット７０は、負荷への電力の供給元の一つである。第三のユニット７０は、第三の蓄電装置７２及び第三のパワコン７３等を具備する。
【００４４】
なお、第三の蓄電装置７２及び第三のパワコン７３の構成（具体的には、それぞれの自身の構成や、互いの関係に関する構成）は、第一の蓄電装置３２及び第一のパワコン３３の構成と略同様であるため、特に異なる点を中心として説明を行う。
【００４５】
第三のパワコン７３は、所定の配線線を介して第三の蓄電装置７２と接続される。また、第三のパワコン７３は、第三のセンサ２３と電気的に接続される。これによって、第三のパワコン７３は、第三のセンサ２３から送信された信号を受信し、第三のセンサ２３の検出結果に関する情報を取得する。また、第三のパワコン７３は、第三のセンサ２３の検出結果に基づいて、出力する電力量を調整する負荷追従運転を行うことができる。また、第三のパワコン７３は、連系運転及び自立運転を行うことができる。なお、第三のパワコン７３において連系運転が行われる場合には、後述する擬似連系モードと通常連系モードとの何れか一方のモードが選択される。
【００４６】
こうして、第三のパワコン７３は、通常時に商用電源９０と連系した状態で、配電線Ｌ５を介して第三の蓄電装置７２から放電された電力を出力したり、商用電源９０や第一のユニット３０からの電力を第三の蓄電装置７２へ入力（充電）したりすることができる。
【００４７】
また、第三のパワコン７３は、非常時に商用電源９０から独立した状態で、自立運転時に使用される図示せぬ配電線を介して第三の蓄電装置７２から放電された電力を出力することができる。
【００４８】
また、第三のパワコン７３は、非常時に商用電源９０から独立した状態であって、且つ後述する第一の擬似連系モードが実行された状態で、配電線Ｌ５を介して第三の蓄電装置７２から放電された電力を出力することができる。
【００４９】
また、第三のパワコン７３は、非常時に商用電源９０から独立した状態であって、且つ後述する第二の擬似連系モードが実行された状態で、配電線Ｌ５を介して第三の蓄電装置７２から放電された電力を出力したり、第一のユニット３０からの電力を第三の蓄電装置７２へ入力（充電）したりすることができる。
【００５０】
このように構成された第三のユニット７０は、上述の如く配電線Ｌ５を介して分電盤１０と接続される。
【００５１】
より詳細には、第三のユニット７０において、第三のパワコン７３が、配電線Ｌ５を介して分電盤１０内の配電線Ｌ１（第三のセンサ２３と一般回路１１との間）と接続される。こうして、第三のパワコン７３が、配電線Ｌ５・Ｌ１を介して商用電源９０や、分電盤１０内の一般回路１１（負荷）と接続される。また、第三のパワコン７３が、配電線Ｌ５・Ｌ１・Ｌ２（又は、配電線Ｌ５・Ｌ１・Ｌ３）を介して第一のユニット３０（より詳細には、第一のパワコン３３）と接続される。なお、配電線Ｌ５は、通常時（すなわち、第三のパワコン７３の連系運転時）に使用される配電線である。
【００５２】
図２に示すエネルギーマネジメントシステム（Ｅｎｅｒｇｙ  Ｍａｎａｇｅｍｅｎｔ  Ｓｙｓｔｅｍ、以下では「ＥＭＳ」と称する）８０は、電力供給システム１の動作を管理するものである。ＥＭＳ８０は、ＲＡＭやＲＯＭ等の記憶部や、ＣＰＵ等の演算処理部、Ｉ／Ｏ等の入送信装置等により構成される。ＥＭＳ８０は、所定の演算処理や、記憶処理等を行うことができる。ＥＭＳ８０には、電力供給システム１の動作を制御する際に用いられる種々の情報やプログラム等が予め記憶される。
【００５３】
ＥＭＳ８０は、第一のユニット３０（より詳細には、第一のパワコン３３）と電気的に接続される。ＥＭＳ８０は、所定の信号を第一のユニット３０に送信し、当該第一のユニット３０の運転（例えば、第一の蓄電装置３２の充放電等）を制御することができる。また、ＥＭＳ８０は、第一のユニット３０の運転状況に関する信号を受信する。こうして、ＥＭＳ８０は、第一のユニット３０の運転状況に関する情報を取得することができる。
【００５４】
例えば、ＥＭＳ８０は、第一のユニット３０（第一のパワコン３３）からの電力の出力に関する情報を取得する。具体的には、ＥＭＳ８０は、第一のユニット３０の第一のパワコン３３からの出力が、第一の太陽光発電装置３１及び第一の蓄電装置３２のうち、第一の蓄電装置３２に充電された電力のみの出力であるか否かに関する情報を取得する。また、ＥＭＳ８０は、第一のユニット３０の第一のパワコン３３からの出力が、第一の太陽光発電装置３１及び第一の蓄電装置３２のうち、両方からの出力（第一の太陽光発電装置３１で発電された電力及び第一の蓄電装置３２に充電された電力の出力）であるか否かに関する情報を取得する。また、ＥＭＳ８０は、第一のユニット３０の第一のパワコン３３からの出力が、最大出力（例えば、２０００Ｗ）であるか否かに関する情報を取得する。
【００５５】
また、ＥＭＳ８０は、第一のユニット３０の第一の蓄電装置３２が放電不可能であるか（放電可能な程度の電力量が充電されていないか）否かに関する情報を取得する。
【００５６】
ＥＭＳ８０は、第二のユニット６０（より詳細には、第二のパワコン６３）と電気的に接続される。ＥＭＳ８０は、所定の信号を第二のユニット６０に送信し、当該第二のユニット６０の運転（例えば、第二の蓄電装置６２の充放電等）を制御することができる。ＥＭＳ８０は、第二のユニット６０の運転状況に関する信号を受信する。こうして、ＥＭＳ８０は、第二のユニット６０の運転状況に関する情報を取得することができる。
【００５７】
例えば、ＥＭＳ８０は、第二のユニット６０の第二の蓄電装置６２の放電が必要となったか（第二の蓄電装置６２が満充電になったか）否かに関する情報を取得する。
【００５８】
ＥＭＳ８０は、第三のユニット７０（より詳細には、第三のパワコン７３）と電気的に接続される。ＥＭＳ８０は、所定の信号を第三のユニット７０に送信し、当該第三のユニット７０の運転（例えば、第三の蓄電装置７２の充放電等）を制御することができる。ＥＭＳ８０は、第三のユニット７０の運転状況に関する信号を受信する。こうして、ＥＭＳ８０は、第三のユニット７０の運転状況に関する情報を取得することができる。
【００５９】
例えば、ＥＭＳ８０は、第三のユニット７０の第三の蓄電装置７２の放電が必要となったか（第三の蓄電装置７２が満充電になったか）否かに関する情報を取得する。
【００６０】
また、ＥＭＳ８０は、第四のセンサ２４と電気的に接続される。ＥＭＳ８０は、第四のセンサ２４の検出結果に関する信号を受信する。こうして、ＥＭＳ８０は、第四のセンサ２４の検出結果に関する情報を取得する。例えば、ＥＭＳ８０は、第四のセンサ２４の検出結果に基づいて停電の発生や解消に関する情報を取得する。
【００６１】
また、ＥＭＳ８０は、切替盤５０と電気的に接続される。ＥＭＳ８０は、切替盤５０の動作状況に関する情報を取得する。ＥＭＳ８０は、所定の信号を切替盤５０に送信し、当該切替盤５０（より詳細には、当該切替盤５０に設けられたリレー）を制御することができる。
【００６２】
上述の如く構成された電力供給システム１は、電力の供給態様について異なる複数のモードを有する。前記複数のモードには、通常時に選択される通常モードと、停電時に実行される停電モードとの２種類のモードが含まれる。
【００６３】
以下では、電力供給システム１において、通常モードが実行される場合（すなわち、通常時である場合）の電力の供給態様について説明する。
【００６４】
なお、通常モードが実行される場合（通常時である場合）、切替盤５０において配電線Ｌ１の上流側と下流側とが接続されている。
【００６５】
通常モードにおいて、商用電源９０からの電力は、配電線Ｌ１を介して分電盤１０（ひいては、一般回路１１）に供給される。こうして、商用電源９０からの電力は、配電線Ｌ１を介して負荷へ供給される。またこの場合、第三のユニット７０においては、第三のセンサ２３の検出結果に基づいて第三のパワコン７３が負荷追従運転を行って、当該第三のパワコン７３から電力（第三の蓄電装置７２から放電された電力）が出力される。こうして、第三のユニット７０（第三のパワコン７３）から出力された電力は、配電線Ｌ５・Ｌ１を介して一般回路１１に供給される。なお、第三のユニット７０から電力が出力されると、商用電源９０から一般回路１１へと供給される電力量は減少する。
【００６６】
なお、負荷の消費電力を第三のユニット７０からの電力だけで賄えない場合には、不足する分だけの電力が商用電源９０から一般回路１１へ供給される。すなわち、商用電源９０からの電力が、配電線Ｌ１を介して負荷へ供給される。またこの場合、第二のユニット６０においては、第二のセンサ２２の検出結果に基づいて第二のパワコン６３が負荷追従運転を行って、当該第二のパワコン６３から電力（第二の蓄電装置６２から放電された電力）が出力される。こうして、第二のユニット６０（第二のパワコン６３）から出力された電力は、配電線Ｌ４・Ｌ１を介して一般回路１１に供給される。なお、第二のユニット６０から電力が出力されると、商用電源９０から一般回路１１へと供給される電力量はさらに減少する。
【００６７】
また、負荷の消費電力を第三のユニット７０及び第二のユニット６０からの電力だけで賄えない場合には、不足する分だけの電力が商用電源９０から一般回路１１へと供給される。すなわち、商用電源９０からの電力が、配電線Ｌ１を介して負荷へ供給される。またこの場合、第一のユニット３０においては、第一のセンサ２１の検出結果に基づいて第一のパワコン３３が負荷追従運転を行って、当該第一のパワコン３３から電力（第一の太陽光発電装置３１で発電された電力や、第一の蓄電装置３２から放電された電力）が出力される。こうして、第一のユニット３０（第一のパワコン３３）から出力された電力は、配電線Ｌ２・Ｌ１を介して一般回路１１に供給される。なお、第一のユニット３０から電力が出力されると、商用電源９０から一般回路１１へと供給される電力量はさらに減少する。
【００６８】
こうして、通常モードにおいては、負荷の消費電力に対して、第三のユニット７０、第二のユニット６０、第一のユニット３０からの電力を順次出力することができ、ひいては商用電源９０から一般回路１１（負荷）へと供給される電力量（商用電源９０からの買電量）を減少させることができる。
【００６９】
また例えば、第三のユニット７０、第二のユニット６０、第一のユニット３０からの電力を順次出力した状態で、負荷の消費電力に対して第一のユニット３０の第一の太陽光発電装置３１で発電された電力に余剰が生じる場合には、当該余剰した電力を当該第一のユニット３０の第一の蓄電装置３２に充電させることができる。また、負荷の消費電力に対して第三のユニット７０からの電力だけで賄えている場合（第一のユニット３０の第一の太陽光発電装置３１で発電された電力に余剰が生じる場合）には、当該余剰した電力を第二のユニット６０の第二の蓄電装置６２に充電させることができる。これによって、第一のユニット３０及び第二のユニット６０から出力される電力として、第一の太陽光発電装置３１で発電された電力を第一の蓄電装置３２及び第二の蓄電装置６２に充電させておくことができ、ひいては商用電源９０からの買電量を減少させることができる。
【００７０】
また例えば、所定のタイミング（例えば、工場の消費電力が少ない深夜の時間帯）に、深夜料金が適用された比較的安価な商用電源９０からの電力を、第一のユニット３０、第二のユニット６０及び第三のユニット７０から出力させる電力として、第一の蓄電装置３２、第二の蓄電装置６２及び第三の蓄電装置７２にそれぞれ充電させておくことができる。こうして、これらの蓄電装置３２・６２・７２に充電させた電力を（深夜料金が適用されない）昼間の時間帯に放電させることにより、比較的高価な商用電源９０からの電力の買電量を減少させることができる。
【００７１】
以下では、図３のフローチャート、及び図４から図７を用いて、電力供給システム１において、停電モードが実行される場合（すなわち、停電時である場合）の電力の供給態様について説明する。
【００７２】
なお、図３のフローチャートにおいては、説明の便宜上、蓄電装置を「Ｌｉｂ」と記載し、太陽光発電装置を「ＰＶ」と記載している。
【００７３】
まず、通常時（通常モード）において、ＥＭＳ８０は、第四のセンサ２４から送信された信号を受信し、第四のセンサ２４の検出結果に関する情報を取得している。こうして、ＥＭＳ８０は、配電線Ｌ１を流れる商用電源９０からの電力に関する情報（すなわち、停電の非発生に関する情報）を取得している。
【００７４】
そして、停電が発生すると、第四のセンサ２４において商用電源９０からの電力の検出が途絶える。こうして、ＥＭＳ８０は、第四のセンサ２４の検出結果に基づいて、停電の発生に関する情報を取得する（ステップＳ１１）。
【００７５】
また、ＥＭＳ８０は、停電の発生に関する情報を取得すると、切替盤５０を制御し、配電線Ｌ１の切替盤５０よりも下流側と配電線Ｌ３とを接続させる。これによって、ＥＭＳ８０は、切替盤５０を介して一般回路１１側へと流れる電力の供給元を、商用電源９０及び第一のユニット３０（より詳細には、連系運転時の第一のユニット３０）から、第一のユニット３０（より詳細には、自立運転時の第一のユニット３０）に切り替える。
【００７６】
また、停電が発生すると、第一のユニット３０の第一のパワコン３３は、第一のセンサ２１の検出結果に基づいて、停電の発生に関する情報を取得する。第一のパワコン３３は、停電の発生に関する情報を取得すると、連系運転を終了すると共に所定の期間経過後に自立運転を開始する（ステップＳ１２）。こうして、自立運転が開始されると、図４に示すように、第一のユニット３０（第一のパワコン３３）から出力された電力は、配電線Ｌ３・Ｌ１を介して分電盤１０内の一般回路１１に供給される。
【００７７】
また、停電が発生すると、各ユニット６０・７０の各パワコン６３・７３は、各センサ２２・２３の検出結果に基づいて、停電の発生に関する情報をそれぞれ取得する。各パワコン６３・７３は、停電の発生に関する情報を取得すると、連系運転を終了する。
【００７８】
なお、自立運転によって第一のパワコン３３から出力された電力が、配電線Ｌ３・Ｌ１を介して分電盤１０内の一般回路１１に供給された場合、切替盤５０よりも下流側の配電線Ｌ１に当該電力が流れることとなる。このように配電線Ｌ１に電力が流れると、各ユニット６０・７０の各パワコン６３・７３は、各センサ２２・２３の検出結果に基づいて、実際には停電時であるにもかかわらず、停電の解消に関する情報を取得する。こうして、停電の解消に関する情報を取得すると、各パワコン６３・７３は、連系運転を開始する。
【００７９】
これによって、各パワコン６３・７３は、自立運転時の第一のユニット３０を商用電源９０であると見なして、擬似的に商用電源９０と連系した状態となる。すなわち、各パワコン６３・７３は、各センサ２２・２３の検出結果に基づいて負荷追従運転をそれぞれ行う。こうして、図５に示すように、第三のユニット７０（第三のパワコン７３）から出力された電力は、配電線Ｌ５・Ｌ１を介して一般回路１１に供給される。また、第二のユニット６０（第二のパワコン６３）から出力された電力は、配電線Ｌ４・Ｌ１を介して一般回路１１に供給される。
【００８０】
ステップＳ１３において、ＥＭＳ８０は、各パワコン６３・７３が擬似的に商用電源９０と連系した状態となると、各パワコン６３・７３を制御し、各蓄電装置６２・７２の放電のみを行わせる（充電を禁止する）。具体的には、例えば停電が発生したのが、（比較的安価な商用電源９０からの電力を各蓄電装置６２・７２にそれぞれ充電させる）深夜の時間帯であっても、各蓄電装置６２・７２の充電を行わない。
【００８１】
なお以下では、各パワコン６３・７３において、停電時に各蓄電装置６２・７２の充電が禁止された連系運転を行うモードを「第一の擬似連系モード」と称する。また後述するように、各パワコン６３・７３において、停電時に各蓄電装置６２・７２の充電が禁止されない（許可された）連系運転を行うモードを「第二の擬似連系モード」と称する。
これに対して、各パワコン６３・７３において、通常時に各蓄電装置６２・７２の充電が禁止されない（許可された）連系運転を行うモードを「通常連系モード」と称する。
【００８２】
なお、配電線Ｌ１を流れる電力が一旦途絶えた後に再度流れる場合、（停電が解消されたことによる）商用電源９０からの電力か、又は（停電が継続していることによる）自立運転時の第一のユニット３０からの電力かを、各センサ２２・２３の検出結果に基づいて各パワコン６３・７３が判断することができない。しかしながら、ＥＭＳ８０は、第四のセンサ２４の検出結果に基づいて停電の発生に関する情報を取得し、停電の解消や継続を適切に判断したうえで、各パワコン６３・７３を（第一又は第二）擬似連系モード、又は連系モードとすることができる。
【００８３】
このように、各パワコン６３・７３が擬似的に商用電源９０と連系した状態となると、ＥＭＳ８０によって当該各パワコン６３・７３が第一の擬似連系モードとなる。これによって、停電時に第一のユニット３０の第一のパワコン３３が自立運転を行った場合、当該第一のユニット３０から出力された電力を、その他のユニット（第二のユニット６０や第三のユニット７０）に奪われることなく、一般回路１１に供給することができる。すなわち、停電時に負荷へ供給される電力量が減少してしまう事態を回避することができる。
【００８４】
また、各パワコン６３・７３が擬似的に商用電源９０と連系した状態となると、通常モードが実行される場合と同様に、負荷の消費電力に対して、第三のユニット７０、第二のユニット６０、第一のユニット３０からの電力を順次出力することができる。
【００８５】
ステップＳ１４において、ＥＭＳ８０は、第四のセンサ２４の検出結果に基づいて停電が解消された（停電復帰した）か否かを判定する。
【００８６】
こうして、ＥＭＳ８０は、停電が解消されたと判定した場合（ステップＳ１４で「ＹＥＳ」）には、電力の供給態様に関するモードを停電モードから通常モードへと切り替える（ステップＳ１５）。具体的には、ＥＭＳ８０は、切替盤５０を制御し、配電線Ｌ１の切替盤５０よりも上流側と下流側とを接続させる。これによって、ＥＭＳ８０は、切替盤５０を介して一般回路１１側へと流れる電力の供給元を、第一のユニット３０（より詳細には、自立運転時の第一のユニット３０）から、商用電源９０及び第一のユニット３０（より詳細には、連系運転時の第一のユニット３０）に切り替える。
【００８７】
なお、停電が解消すると、第一のユニット３０の第一のパワコン３３は、第一のセンサ２１の検出結果に基づいて、停電の解消に関する情報を取得する。第一のパワコン３３は、停電の解消に関する情報を取得すると、自立運転を終了すると共に所定の期間経過後に連系運転を開始する。こうして、連系運転が開始されると、第一のユニット３０（第一のパワコン３３）から出力された電力は、配電線Ｌ２・Ｌ１を介して、（停電が解消された）商用電源９０からの電力と共に分電盤１０内の一般回路１１に供給される。
【００８８】
また、連系運転によって第一のパワコン３３から出力された電力が一般回路１１に供給された場合、擬似的に商用電源９０と連系した状態から実際に連系した状態となるため、各パワコン６３・７３における擬似的に商用電源９０と連系した状態が解消される。このような場合、ＥＭＳ８０は、各パワコン６３・７３を、第一の擬似連系モードから通常連系モードに切り替える。これによって、各パワコン６３・７３は、通常時において各蓄電装置６２・７２の充電が禁止されずに連系運転を行うことができる。こうして、各パワコン３３・６３・７３の連系運転が開始されると、停電モードが実行される場合の電力の供給態様は一旦終了される。
【００８９】
これに対して、ＥＭＳ８０は、停電が解消されていないと判定した場合（ステップＳ１４で「ＮＯ」）には、ステップＳ１６の処理を行う。
【００９０】
ステップＳ１６において、ＥＭＳ８０は、第一のユニット３０の第一のパワコン３３から所定の信号を受信することにより、第一の蓄電装置３２が空であるか（放電可能な程度の電力量が充電されていないか）否かを判定する。
【００９１】
こうして、ＥＭＳ８０は、第一の蓄電装置３２が空である（放電可能な程度の電力量が充電されていない）と判定した場合（ステップＳ１６で「ＹＥＳ」）には、第一のユニット３０の第一のパワコン３３の自立運転を停止させる（ステップＳ１７）。こうして、第一のパワコン３３の自立運転を停止されると、停電モードが実行される場合の電力の供給態様は一旦終了される。
【００９２】
これに対して、ＥＭＳ８０は、第一の蓄電装置３２が空ではない（放電可能な程度の電力量が充電されている）と判定した場合（ステップＳ１６で「ＮＯ」）には、ステップＳ１８の処理を行う。
【００９３】
ステップＳ１８において、ＥＭＳ８０は、第一のユニット３０の第一のパワコン３３からの出力が、第一の太陽光発電装置３１及び第一の蓄電装置３２のうち、第一の蓄電装置３２に充電された電力のみの出力であるか否かを判定する。
【００９４】
こうして、ＥＭＳ８０は、第一のユニット３０の第一のパワコン３３からの出力が、第一の太陽光発電装置３１及び第一の蓄電装置３２のうち、第一の蓄電装置３２に充電された電力のみの出力であると判定した場合（ステップＳ１８で「ＹＥＳ」）には、再びステップＳ１４の処理を行う。なお、このように判定される場合とは、第一のユニット３０において、第一の太陽光発電装置３１で発電が行われていない場合や、第一の太陽光発電装置３１で発電された電力が第一の蓄電装置３２に充電されるため、出力されていない場合である。
【００９５】
これに対して、ＥＭＳ８０は、第一のユニット３０の第一のパワコン３３からの出力が、第一の太陽光発電装置３１及び第一の蓄電装置３２のうち、第一の蓄電装置３２に充電された電力のみの出力ではないと判定した場合（ステップＳ１８で「ＮＯ」）には、ステップＳ１９の処理を行う。なお、このように判定される場合とは、第一のユニット３０において、第一の蓄電装置３２に充電された電力だけでなく、第一の太陽光発電装置３１で発電された電力が出力されている場合である。
【００９６】
ステップＳ１９において、ＥＭＳ８０は、第一のユニット３０の第一のパワコン３３からの出力が、第一の太陽光発電装置３１及び第一の蓄電装置３２のうち、両方からの出力（第一の太陽光発電装置３１で発電された電力及び第一の蓄電装置３２に充電された電力の出力）であるか否かを判定する。
【００９７】
こうして、ＥＭＳ８０は、第一のユニット３０の第一のパワコン３３からの出力が、第一の太陽光発電装置３１及び第一の蓄電装置３２のうち、両方からの出力であると判定した場合（ステップＳ１９で「ＹＥＳ」）には、再びステップＳ１４の処理を行う。
【００９８】
これに対して、ＥＭＳ８０は、第一のユニット３０の第一のパワコン３３からの出力が、第一の太陽光発電装置３１及び第一の蓄電装置３２のうち、両方からの出力ではないと判定した場合（ステップＳ１９で「ＮＯ」）には、ステップＳ２０の処理を行う。なお、このように判定される場合とは、第一のユニット３０において、第一の太陽光発電装置３１で発電された電力のみが出力されている場合である。
【００９９】
ステップＳ２０において、ＥＭＳ８０は、第一のユニット３０の第一のパワコン３３を制御し、当該第一のパワコン３３からの出力を継続しながら、第一の太陽光発電装置３１で発電された電力を第一の蓄電装置３２に充電させる。ＥＭＳ８０は、第一の太陽光発電装置３１で発電された電力を第一の蓄電装置３２に充電させると、ステップＳ２１の処理を行う。
【０１００】
ステップＳ２１において、ＥＭＳ８０は、第一のユニット３０の第一のパワコン３３からの出力が最大出力（例えば、２０００Ｗ）であるか否かを判定する。
【０１０１】
こうして、ＥＭＳ８０は、第一のユニット３０の第一のパワコン３３からの出力が最大出力ではないと判定した場合（ステップＳ２１で「ＮＯ」）には、ステップＳ２２の処理を行う。なお、このように判定される場合、負荷の消費電力に対して、各ユニット３０・６０・７０から出力された電力に不足が生じていない（すなわち、余剰した電力が生じている）と想定される。このような状態においては、第一のユニット３０からの電力を各ユニット６０・７０の蓄電装置６２・７２に充電させた場合であっても、負荷の消費電力に対して不足する電力が生じない場合がある。したがって、このように判定される場合、ＥＭＳ８０は、第一のユニット３０からの電力を各ユニット６０・７０の蓄電装置６２・７２に充電させるような制御を行う。
【０１０２】
これに対して、ＥＭＳ８０は、第一のユニット３０の第一のパワコン３３からの出力が最大出力であると判定した場合（ステップＳ２１で「ＹＥＳ」）には、再びステップＳ１４の処理を行う。なお、このように判定される場合、負荷の消費電力に対して、各ユニット３０・６０・７０から出力された電力に不足が生じていると想定される。このような状態においては、第一のユニット３０からの電力を各ユニット６０・７０の蓄電装置６２・７２に充電させると、充電させるユニットからの電力の出力が停止されるため、負荷の消費電力に対して不足する電力が増加することとなって望ましくない。したがって、このように判定される場合、ＥＭＳ８０は、第一のユニット３０からの電力を各ユニット６０・７０の蓄電装置６２・７２に充電させないような制御を行う。
【０１０３】
なお、ＥＭＳ８０の処理は、ステップＳ２１から再びステップＳ１４へと移行した後、ステップＳ１６・Ｓ１８・Ｓ１９・Ｓ２０へと移行する場合が想定される。このような場合には、第一の太陽光発電装置３１で発電された電力を、第一の蓄電装置３２に充電させるため、ＥＭＳ８０は、第三のユニット７０から出力される電力を増加するような制御を行うことができる。すなわち、第三のユニット７０から出力される電力が増加すると、負荷の消費電力のうち第一のユニット３０からの電力によって賄われる割合を減少させることができる。これによって、第一のユニット３０から出力される電力を減少させ、第一の太陽光発電装置３１で発電された電力によって第一の蓄電装置３２に充電させる電力を増加させることができる。
【０１０４】
また、ステップＳ２２以降においては、停電時であるが、各ユニット６０・７０の蓄電装置６２・７２を、第一のユニット３０から出力された電力（第一の太陽光発電装置３１で発電された電力）を用いて充電させる処理が行われる。そこで、ＥＭＳ８０は、各パワコン６３・７３において、停電時に各蓄電装置６２・７２の充電が禁止されない（許可された）連系運転を行うために、第一の擬似連系モードから第二の擬似連系モードへとモードを切り替える。
【０１０５】
ステップＳ２２において、ＥＭＳ８０は、第二のユニット６０の第二のパワコン６３から所定の信号を受信することにより、当該第二のユニット６０の第二の蓄電装置６２が充電可能であるか否かを判定する。なお、第二のユニット６０の第二の蓄電装置６２が充電可能であるか否かの判定は、ＥＭＳ８０が取得した情報（具体的には、第二の蓄電装置６２が満充電であるかや、負荷の消費電力が各ユニット３０・７０から出力される電力によって賄えるか等の情報）に基づいて行われる。
【０１０６】
こうして、ＥＭＳ８０は、第二のユニット６０の第二の蓄電装置６２が充電可能であると判定した場合（ステップＳ２２で「ＹＥＳ」）には、ステップＳ２３の処理を行う。
【０１０７】
これに対して、ＥＭＳ８０は、第二のユニット６０の第二の蓄電装置６２が充電可能ではないと判定した場合（ステップＳ２２で「ＮＯ」）には、ステップＳ２５の処理を行う。
【０１０８】
ステップＳ２５において、ＥＭＳ８０は、第三のユニット７０の第三のパワコン７３から所定の信号を受信することにより、当該第三のユニット７０の第三の蓄電装置７２が充電可能であるか否かを判定する。なお、第三のユニット７０の第三の蓄電装置７２が充電可能であるか否かの判定は、ＥＭＳ８０が取得した情報（具体的には、第三の蓄電装置７２が満充電であるかや、負荷の消費電力が各ユニット３０・６０から出力される電力によって賄えるか等の情報）に基づいて行われる。
【０１０９】
こうして、ＥＭＳ８０は、第三のユニット７０の第三の蓄電装置７２が充電可能であると判定した場合（ステップＳ２５で「ＹＥＳ」）には、ステップＳ２６の処理を行う。
【０１１０】
これに対して、ＥＭＳ８０は、第三のユニット７０の第三の蓄電装置７２が充電可能ではないと判定した場合（ステップＳ２５で「ＮＯ」）には、再びステップＳ１４の処理を行う。
【０１１１】
ステップＳ２２から移行したステップＳ２３において、図６に示すように、ＥＭＳ８０は、第一のユニット３０から出力された電力（第一の太陽光発電装置３１で発電された電力）を用いて、第二のユニット６０の第二の蓄電装置６２を充電させる。具体的には、ＥＭＳ８０は、各ユニット３０・７０から出力される電力量を調整することにより、第二のユニット６０の第二の蓄電装置６２に充電させる電力量を調整する。
【０１１２】
例えば、ＥＭＳ８０は、第二のユニット６０の第二のパワコン６３に対して第二の蓄電装置６２が所定の電力量を充電するように指示を出す。これによって、第二のユニット６０から出力される電力量が０となるため、ＥＭＳ８０は、負荷の消費電力に対して不足する分を各ユニット３０・７０からの電力で賄うよう、当該各ユニット３０・７０に対して出力する電力量を増加するように指示を出す。なお、第二のユニット６０の第二の蓄電装置６２で充電される電力量が、第一のユニット３０から出力される電力量と同一である場合には、負荷の消費電力は、第三のユニット７０から出力される電力によって賄われる。
【０１１３】
このように、ステップＳ２３においては、第二の擬似連系モードが実行されて停電時に第二のユニット６０の第二の蓄電装置６２の充電が行われるが、各ユニット３０・７０から出力される電力量を調整することにより、負荷へ供給させる電力量が減少してしまう事態を回避するとができる。
【０１１４】
ステップＳ２４において、ＥＭＳ８０は、第二のユニット６０の第二の蓄電装置６２の放電が必要となったか否かを判定する。
【０１１５】
こうして、ＥＭＳ８０は、第二のユニット６０の第二の蓄電装置６２の放電が必要となったと判定した場合（ステップＳ２４で「ＹＥＳ」）には、再びステップＳ１３の処理を行う。すなわち、ＥＭＳ８０は、第二のユニット６０の第二の蓄電装置６２が満充電となった場合には、当該第二の蓄電装置６２に充電された電力を放電させることで、第一の太陽光発電装置３１で発電された電力を無駄にせず、効率よく利用している。なおこの場合、ＥＭＳ８０は、各パワコン６３・７３において、停電時に各蓄電装置６２・７２の充電が禁止された連系運転を行うために、第二の擬似連系モードから第一の擬似連系モードへとモードを切り替える。
【０１１６】
これに対して、ＥＭＳ８０は、第二のユニット６０の第二の蓄電装置６２の放電が必要となっていないと判定した場合（ステップＳ２４で「ＮＯ」）には、再びステップＳ２３の処理を行う。
【０１１７】
ステップＳ２５から移行したステップＳ２６において、図７に示すように、ＥＭＳ８０は、第一のユニット３０から出力された電力（第一の太陽光発電装置３１で発電された電力）を用いて、第三のユニット７０の第三の蓄電装置７２を充電させる。具体的には、ＥＭＳ８０は、各ユニット３０・６０から出力される電力量を調整することにより、第三のユニット７０の第三の蓄電装置７２に充電させる電力量を調整する。
【０１１８】
例えば、ＥＭＳ８０は、第三のユニット７０の第三のパワコン７３に対して第三の蓄電装置７２が所定の電力量を充電するように指示を出す。これによって、第三のユニット７０から出力される電力量が０となるため、ＥＭＳ８０は、負荷の消費電力に対して不足する分を各ユニット３０・６０からの電力で賄うよう、当該各ユニット３０・６０に対して出力する電力量を増加するように指示を出す。なお、第三のユニット７０の第三の蓄電装置７２で充電される電力量が、第一のユニット３０から出力される電力量と同一である場合には、負荷の消費電力は、第二のユニット６０から出力される電力によって賄われる。
【０１１９】
このように、ステップＳ２６においては、第二の擬似連系モードが実行されて停電時に第三のユニット７０の第三の蓄電装置７２の充電が行われるが、各ユニット３０・６０から出力される電力量を調整することにより、負荷へ供給させる電力量が減少してしまう事態を回避するとができる。
【０１２０】
ステップＳ２７において、ＥＭＳ８０は、第三のユニット７０の第三の蓄電装置７２の放電が必要となったか否かを判定する。
【０１２１】
こうして、ＥＭＳ８０は、第二のユニット６０の第二の蓄電装置６２の放電が必要となったと判定した場合（ステップＳ２４で「ＹＥＳ」）には、再びステップＳ１３の処理を行う。すなわち、ＥＭＳ８０は、第二のユニット６０の第二の蓄電装置６２が満充電となった場合には、当該第二の蓄電装置６２に充電された電力を放電させることで、第一の太陽光発電装置３１で発電された電力を無駄にせず、効率よく利用している。なおこの場合、ＥＭＳ８０は、各パワコン６３・７３において、停電時に各蓄電装置６２・７２の充電が禁止された連系運転を行うために、第二の擬似連系モードから第一の擬似連系モードへとモードを切り替える。
【０１２２】
これに対して、ＥＭＳ８０は、第三のユニット７０の第三の蓄電装置７２の放電が必要となっていないと判定した場合（ステップＳ２７で「ＮＯ」）には、再びステップＳ２６の処理を行う。
【０１２３】
以上の如く、第一実施形態に係る電力供給システム１は、
商用電源９０からの電力を負荷へ供給可能な分電盤１０と、
太陽光（自然エネルギー）を利用して発電可能な第一の太陽光発電装置３１（発電装置）、前記第一の太陽光発電装置３１（発電装置）及び前記商用電源９０からの電力を充放電可能な第一の蓄電装置３２、及び前記第一の蓄電装置３２の充放電を制御する第一のパワコン３３（第一のパワーコンディショナー）を含み、前記商用電源９０と連系して前記分電盤１０へ電力を供給する連系運転と、前記商用電源９０から独立して前記分電盤１０へ電力を供給する自立運転と、を行うことができる第一のユニット３０と、
前記負荷へと供給される電力の供給元を、前記商用電源９０又は前記第一のユニット３０に切り替える切替盤５０と、
前記自立運転時に前記第一のユニット３０から前記分電盤１０に供給された電力の電圧を昇圧するトランス４０と、
前記商用電源９０からの電力を充放電可能な第二の蓄電装置６２・第三の蓄電装置７２、及び前記第二の蓄電装置６２・第三の蓄電装置７２の充放電を制御する第二のパワコン６３・第三のパワコン７３（第二のパワーコンディショナー）を含み、前記切替盤５０よりも前記負荷側に配置されて前記分電盤１０へ電力を供給する第二のユニット６０・第三のユニット７０（第二のユニット）と、
前記商用電源９０の停電を検知可能な第四のセンサ２４（停電検知部）と、
前記第四のセンサ２４（停電検知部）の検知結果を取得可能であって、前記第一のユニット３０の前記第一のパワコン３３（第一のパワーコンディショナー）を制御して前記第一の蓄電装置３２の充放電を行わせると共に、前記第二のユニット６０・第三のユニット７０（第二のユニット）の前記第二のパワコン６３・第三のパワコン７３（第二のパワーコンディショナー）を制御して前記第二の蓄電装置６２・第三の蓄電装置７２の充放電を行わせるＥＭＳ８０（制御部）と、
を具備し、
前記ＥＭＳ８０（制御部）は、前記第四のセンサ２４（停電検知部）が前記商用電源９０の停電を検知すると、前記第一のユニット３０の状態に応じて、前記第二のユニット６０・第三のユニット７０（第二のユニット）の前記第二のパワコン６３・第三のパワコン７３（第二のパワーコンディショナー）を制御する停電モード（第一の擬似連系モード及び第二の擬似連系モード）を実行するものである。
【０１２４】
このような構成により、停電時において、第一の擬似連系モードが実行される場合には、各蓄電装置６２・７２の充電が禁止された連系運転が行われる。また、停電時において、第二の擬似連系モードが実行される場合には、第二のユニット６０の第二の蓄電装置６２（又は、第三のユニット７０の第三の蓄電装置７２）の充電が行われるが、各ユニット３０・７０（又は、各ユニット３０・６０）から出力される電力量を調整することにより、負荷へ供給させる電力量が減少してしまう事態を回避することができる。
【０１２５】
また、前記停電モード（第一の擬似連系モード及び第二の擬似連系モード）が実行されると、
前記第一のユニット３０・第二のユニット６０・第三のユニット７０（第一及び前記第二のユニット）のうち、前記第二のユニット６０・第三のユニット７０（第二のユニット）から優先して放電が行われるものである。
【０１２６】
このような構成により、複数のユニットから適切な順番で負荷へと電力を供給することができる。
具体的には、前記第一のユニット３０・第二のユニット６０・第三のユニット７０のうち、第一のユニット３０から優先して放電が行われた場合には、第二のユニット６０・第三のユニット７０は適切に負荷追従運転を行うことができない。これに対して、前記第一のユニット３０・第二のユニット６０・第三のユニット７０のうち、第二のユニット６０・第三のユニット７０から優先して放電が行われた場合には、当該第二のユニット６０・第三のユニット７０は適切に負荷追従運転を行うことができる。こうして、複数のユニットから適切な順番で負荷へと電力を供給することができる。
【０１２７】
また、前記停電モード（第一の擬似連系モード及び第二の擬似連系モード）が実行されると、
前記ＥＭＳ８０（制御部）は、
前記第一の蓄電装置３２が満充電であって、且つ前記第二のユニット６０・第三のユニット７０（第二のユニット）の前記第二の蓄電装置６２・第三の蓄電装置７２が充電可能である場合に、
前記第一のユニット３０の前記第一の太陽光発電装置３１（発電装置）で発電された電力を前記第二のユニット６０・第三のユニット７０（第二のユニット）の前記第二の蓄電装置６２・第三の蓄電装置７２に充電させるものである。
【０１２８】
このような構成により、第一の太陽光発電装置３１（発電装置）で発電された電力を無駄にすることなく有効に利用することができる。
【０１２９】
また、前記第二のユニット６０・第三のユニット７０（第二のユニット）は、
前記商用電源９０と前記負荷とを結ぶ配電線Ｌ１（電路）に複数配置され、
前記ＥＭＳ８０（制御部）は、
前記第一のユニット３０の前記第一の太陽光発電装置３１（発電装置）で発電された電力を前記第二のユニット６０・第三のユニット７０（第二のユニット）の前記第二の蓄電装置６２・第三の蓄電装置７２に充電させる場合に、
複数の前記第二のユニット６０・第三のユニット７０（第二のユニット）のうち、前記第一のユニット３０側に配置されたユニットから優先して充電を行わせるものである。
【０１３０】
このような構成により、複数のユニットから出力が行われる場合に当該出力が阻害されるのを回避することができる。
具体的には、例えば第二のユニット６０・第三のユニット７０からの出力で負荷の消費電力を賄っている場合に、第三のユニット７０（負荷側に配置されたユニット）を優先して充電を行わせると、第二のユニット６０（第一のユニット３０側に配置されたユニット）からの出力が阻害されてしまう。これに対して、第二のユニット６０（第一のユニット３０側に配置されたユニット）から優先して充電を行わせることによって、前記出力が阻害されるのを回避することができる。
【０１３１】
また、前記商用電源９０の停電が解消された場合、
前記ＥＭＳ８０（制御部）は、前記停電モードを終了し、
前記第一のユニット３０は、前記連系運転を行うものである。
【０１３２】
このような構成により、通常時に適切に負荷へと電力を供給することができる。
【０１３３】
なお、ＥＭＳ８０は、ステップＳ２１において、第一のユニット３０の第一のパワコン３３からの出力が最大出力であるか否かを判定するため、当該第一のユニット３０よりも負荷側に配置される各ユニット６０・７０に対して各蓄電装置６２・７２の放電のみを行うモードや、逆潮流を行わないモードを行わせることができる。すなわち、ＥＭＳ８０は、各ユニット６０・７０から出力される電力量や、各ユニット６０・７０に入力される電力量を調整することにより、停電時において所望の電力の供給態様とすることができる。
【０１３４】
なお、本実施形態に係る第一の太陽光発電装置３１は、本発明に係る発電装置の一実施形態である。
また、本実施形態に係る第二のユニット６０・第三のユニット７０は、本発明に係る第二のユニットの一実施形態である。
また、本実施形態に係る第二の蓄電装置６２・第三の蓄電装置７２は、本発明に係る第二の蓄電装置の一実施形態である。
また、本実施形態に係る第二のパワコン６３・第三のパワコン７３は、本発明に係る第二のパワコンの一実施形態である。
また、本実施形態に係るＥＭＳ８０は、本発明に係る制御部の一実施形態である。
また、本実施形態に係る第一の擬似連系モード・第二の擬似連系モードは、本発明に係る停電モードの一実施形態である。
【０１３５】
以上、本発明の第一実施形態を説明したが、本発明は上記構成に限定されるものではなく、特許請求の範囲に記載された発明の範囲内で種々の変更が可能である。
【０１３６】
例えば、電力供給システム１の適用対象は、本実施形態のように、工場に限定されるものでない。すなわち、電力供給システム１は、工場以外の場所にも適用可能である。具体的には、事業所や集合住宅等に適用することができる。
【０１３７】
また、本実施形態に係るＥＭＳ８０は、例えば図示せぬホームサーバや、第一のパワコン３３の制御部、第一の蓄電装置３２の制御部、（電力供給システム１の適用対象が住宅である場合に）住宅に設けられたＨＥＭＳ等により構成されてもよい。
【０１３８】
また、本実施形態に係るＥＭＳ８０は、第四のセンサ２４の検出結果に基づいて停電の発生に関する情報を取得するものであったが、例えば第一のセンサ２１の検出結果に基づいたり、図示せぬ他のセンサの検出結果やセンサ以外の他の機器が有する情報に基づいて停電の発生に関する情報を取得してもよい。
【０１３９】
なお、本実施形態においては、第四のセンサ２４は、配電線Ｌ１・Ｌ２の接続部よりも上流側に配置される。これによって、第四のセンサ２４は、（複数個所の電力ではなく）１箇所の電力を検出することによりに、停電の発生に関する情報を取得することができる。すなわち、本実施形態においては、停電の発生に関する情報を取得するのに複数のセンサを設ける必要がないため、コスト削減を図ることができる。
【０１４０】
また、本実施形態に係る第一の太陽光発電装置３１は、自然エネルギーとして太陽光を利用するものとしたが、水力、風力、潮力等を利用してもよい。
【０１４１】
また、本実施形態に係る切替盤５０は、ＥＭＳ８０によって制御されたが、例えば第一のユニット３０の第一のパワコン３３等の他の制御部（機器）によって制御されてもよい。
【０１４２】
また、本実施形態に係る第二のユニット６０・第三のユニット７０（すなわち、最も上流側（商用電源９０側）に配置された第一のユニット３０以外のユニット）は、２つだけでなく、３つや、４つ以上設けられてもよい。
【０１４３】
また、本実施形態に係る第二のユニット６０・第三のユニット７０（すなわち、最も上流側（商用電源９０側）に配置された第一のユニット３０以外のユニット）は、自然エネルギーを利用して発電可能な発電装置が設けられてもよい。なお以下では、このような構成を有する電力供給システム（第二実施形態に係る電力供給システム１００）について、図８を用いて説明を行う。
【０１４４】
図８に示す第二実施形態に係る電力供給システム１００の構成において、第一実施形態に係る電力供給システム１の構成と異なる点は、第二実施形態に係る第二のユニット１６０及び第三のユニット１７０が、第一実施形態に係る第二のユニット６０及び第三のユニット７０と異なって太陽光発電装置を具備する点である。
【０１４５】
第二のユニット１６０は、負荷への電力の供給元の一つである。第二のユニット１６０は、第二の太陽光発電装置６１、第二の蓄電装置６２及び第二のパワコン６３等を具備する。第二の太陽光発電装置６１は、太陽光を利用して発電する装置である。第二のパワコン６３は、異なる二つの配電線を介して第二の太陽光発電装置６１及び第二の蓄電装置６２とそれぞれ接続される。なお、第二のユニット１６０の構成（動き方）は、第一実施形態に係る第一のユニット３０と略同様である。
【０１４６】
第三のユニット１７０は、負荷への電力の供給元の一つである。第三のユニット１７０は、第三の太陽光発電装置７１、第三の蓄電装置７２及び第三のパワコン７３等を具備する。第三の太陽光発電装置７１は、太陽光を利用して発電する装置である。第三のパワコン７３は、異なる二つの配電線を介して第三の太陽光発電装置７１及び第三の蓄電装置７２とそれぞれ接続される。なお、第三のユニット１７０の構成（動き方）は、第一実施形態に係る第一のユニット３０と略同様である。
【０１４７】
このような構成により、停電モードが実行される場合（すなわち、停電時である場合）の電力の供給態様において、停電時に負荷へ供給される電力量が減少してしまう事態をより確実に回避することができる。
【０１４８】
具体的には、第二の太陽光発電装置６１及び第三の太陽光発電装置７１で発電された電力を、停電時に使用することができるため、例えば第一のユニット３０からの出力だけで負荷の消費電力に不足が生じる場合であっても、不足する分だけの電力を第二の太陽光発電装置６１及び第三の太陽光発電装置７１（又は、第二の太陽光発電装置６１及び第三の太陽光発電装置７１からの電力を充電した第二の蓄電装置６２及び第三の蓄電装置７２）から負荷へと供給することができる。
【０１４９】
また、例えば負荷の消費電力に対して第三のユニット１７０からの電力だけで賄えている場合であって、且つ余剰した電力が生じた場合には、配電線Ｌ１を商用電源９０側へ流れた電力を、ＥＭＳ８０によって第二のユニット１６０の第二の蓄電装置６２を充電させることで、逆潮流を防止することもできる。また、同様に、例えば負荷の消費電力に対して第二のユニット１６０及び第三のユニット１７０からの電力だけで賄えている場合であって、且つ余剰した電力が生じた場合には、配電線Ｌ１を商用電源９０側へ流れた電力を、ＥＭＳ８０によって第一のユニット３０の第一の蓄電装置３２を充電させることで、逆潮流を防止することもできる。
【符号の説明】
【０１５０】
１    電力供給システム
１０  分電盤
３０  第一のユニット
３１  第一の太陽光発電装置
３２  第一の蓄電装置
３３  第一のパワコン
４０  トランス
６０  第二のユニット
６２  第二の蓄電装置
６３  第二のパワコン
７０  第三のユニット
７２  第三の蓄電装置
７３  第三のパワコン
８０  ＥＭＳ
９０  商用電源
【図１】
0006605949.tif 000002
【図２】
0006605949.tif 000003
【図３】
0006605949.tif 000004
【図４】
0006605949.tif 000005
【図５】
0006605949.tif 000006
【図６】
0006605949.tif 000007
【図７】
0006605949.tif 000008
【図８】
0006605949.tif 000009